(57)【特許請求の範囲】
【請求項１】
合成樹脂の押出発泡板である平面矩形の断熱板を複数枚建物の躯体に取り付けた建物の断熱構造において、前記断熱板の相対向する二辺の対向方向が押出成形時の押出長さ方向、相対向する他の二辺の対向方向が押出成形時の押出幅方向となっており、しかも前記複数枚の断熱板が、相隣接する二枚の断熱板の前記押出長さ方向同士が直列されないように配置されていることを特徴とする建物の断熱構造。
【請求項２】
前記断熱板が平面正方形をなし、同じ方向に前記押出長さ方向を向けた前記断熱板と押出幅方向を向けた前記断熱板とが交互に取り付けられていることを特徴とする請求項１に記載の建物の断熱構造。
【請求項３】
前記断熱板に、前記押出長さ方向及び／又は押出幅方向を示す表示が設けられていることを特徴とする請求項２に記載の建物の断熱構造。
【請求項４】
前記建物の躯体がコンクリート躯体で、前記断熱板が前記建物の躯体の外面に接着されていると共に、前記断熱板の外面に湿式仕上げ材を塗設又はタイルを貼り付けた仕上げ層が形成されていることを特徴とする請求項１〜３のいずれか一項に記載の建物の断熱構造。
【発明の詳細な説明】
【技術分野】
【０００１】
本発明は、合成樹脂の押出発泡板を断熱板として用いた建物の断熱構造に関する。
【背景技術】
【０００２】
従来、建物の断熱構造としては、合成樹脂発泡体の断熱板を建物の躯体に接着用モルタルなどで接着した構造が知られている（例えば、特許文献１参照）。また、合成樹脂の押出発泡板を断熱板として用いることも知られている（例えば、特許文献２参照）。
【先行技術文献】
【特許文献】
【０００３】
【特許文献１】特開２００９−２２８３７１号公報
【特許文献２】特開２００７−１４６４１２号公報
【発明の概要】
【発明が解決しようとする課題】
【０００４】
建物の断熱に用いられる断熱板は、通常平面長方形状で、合成樹脂の押出発泡板を断熱板とする場合、通常、長辺の長さ方向（短辺の対向方向）が押出成形時の押出長さ方向、短辺の長さ方向（長辺の対向方向）が押出成形時の押出幅方向となっている。また、この長方形の押出発泡板の断熱板を建物の躯体へ取り付ける場合、半端な隙間を埋めるような場合を除いて、各断熱板の長辺と短辺の方向を同じ方向に揃えて取り付けるのが通常である。
【０００５】
ところで、合成樹脂の押出発泡板の断熱板は、日射などによる熱にさらされることで応力緩和を生じ、経時的に収縮する。特に押出成形時の押出長さ方向の方が押出幅方向より成形時の延伸度合いが大きいので、この応力緩和による収縮量も大きくなる。この応力緩和による収縮は、断熱板がさらされる温度が高いほど顕著となる。また、発泡ガス（例えばブタン、二酸化炭素など）の気泡からの散逸速度と、気泡への大気の侵入速度の違いにより、気泡内が負圧になると、収縮量は更に大きくなる。
【０００６】
前記のように、平面長方形の合成樹脂の押出発泡板の断熱板を、それぞれ長辺と短辺の方向を同じ方向へ揃えて建物の躯体に取り付けた場合、長辺の長さ方向の収縮量が大きいため、相隣接する断熱板の短辺同士を付き合わせた継ぎ目が開いてしまいやすい問題がある。断熱板間の継ぎ目が開いて縛った場合、断熱効果が低下するだけでなく、外断熱であって、断熱板の外面に湿式仕上げ材を塗設して仕上げ層を形成した場合、仕上げ層にクラックを生じ、雨水の浸入を生じたり、タイル仕上げ材を貼り付けた場合、タイルが落下する等の原因となる。
【０００７】
本発明は、上記従来の問題点に鑑みてなされたもので、断熱板として合成樹脂の押出発泡板を建物の躯体に取り付けた建物の断熱構造において、応力緩和による経時的な収縮による継ぎ目の開きを抑制できるようにすることを目的とする。
【課題を解決するための手段】
【０００８】
本発明は、上記目的のために、合成樹脂の押出発泡板である平面矩形の断熱板を複数枚建物の躯体に取り付けた建物の断熱構造において、前記断熱板の相対向する二辺の対向方向が押出成形時の押出長さ方向、相対向する他の二辺の対向方向が押出成形時の押出幅方向となっており、しかも前記複数枚の断熱板が、相隣接する二枚の断熱板の前記押出長さ方向同士が直列されないように配置されていることを特徴とする建物の断熱構造を提供するものである。
【０００９】
上記本発明は、前記断熱板が平面正方形をなし、同じ方向に前記押出長さ方向を向けた前記断熱板と押出幅方向を向けた前記断熱板とが交互に取り付けられていること、
前記断熱板に、前記押出長さ方向及び／又は押出幅方向を示す表示が設けられていること、
前記建物の躯体がコンクリート躯体で、前記断熱板が前記建物の躯体の外面に接着されていると共に、前記断熱板の外面に湿式仕上げ材を塗設又はタイルを貼り付けた仕上げ層が形成されていること
をその好ましい態様として含むものである。
【発明の効果】
【００１０】
本発明では、断熱板が、相隣接する二枚の断熱板の前記押出長さ方向同士が直列されないように配置されている。つまり、本発明において、相隣接する断熱板は、押出長さ方向と押出幅方向を向き合わせるか、押出幅方向同士を向き合わせて配置されることになる。押出長さ方向は応力緩和による収縮量が大きいが、押出幅方向はその収縮量が小さいので、本発明における相隣接する断熱板間の継ぎ目は、押出長さ方向同士を直列させて相隣接する断熱板間の継ぎ目に比して、応力緩和による収縮によって生じる開きを小さくすることができる。
【００１１】
特に断熱板を正方形とし、同じ方向に押出長さ方向を向けた断熱板と押出幅方向を向けた断熱板とを交互に配置すると、相隣接する断熱板間の継ぎ目に生じる開きを小さく抑えることができると共に、各断熱板間の継ぎ目の開きを均一化することができる。
【００１２】
断熱板に押出長さ方向及び／又は押出幅方向を示す表示を設けておくと、断熱材の取り付け作業が行いやすくなる。
【００１３】
断熱板をコンクリート躯体の外面に取り付け、更にこの断熱板の外面に湿式仕上げ材を塗設して仕上げ層を形成した断熱構造においては、断熱板間の継ぎ目の開きを抑えることにより、仕上げ層へのクラックの発生を防止することができる。
【図面の簡単な説明】
【００１４】
【図１】本発明に係る建物の断熱構造における断熱板の取り付け状態を示す斜視図である。
【図２】本発明に用いる表示付断熱板の例を示す斜視図である。
【図３】本発明に係る建物の断熱構造であって、仕上げ層を有する外断熱とした例を示す断面図である。
【図４】本発明に係る建物の断熱構造における断熱板の取り付け状態の他の例を示す斜視図である。
【発明を実施するための形態】
【００１５】
以下、図面に基づいて本発明を更に説明する。
【００１６】
図１に示されるように、本発明で用いる断熱板１ａ，１ｂは平面正方形で、合成樹脂の押出発泡板で構成されている。
【００１７】
合成樹脂の押出発泡板としては、例えばポリスチレン、ポリウレタン、ポリエチレン、ポリ塩化ビニル、フェノール樹脂などの押出発泡板を用いることができる。これらの中でも圧縮強度、耐水性、断熱性に優れることから、ポリスチレンの押出発泡板が好ましい。ポリスチレンの押出発泡板の断熱板１ａ，１ｂとする場合、良好な断熱性と必要な強度を備得るために、密度が３０〜３５ｋｇ／ｍ3であることが好ましい。
【００１８】
複数枚の断熱板１が建物の躯体２に取り付けられている。断熱板１ａ，１ｂの取り付けは、接着でもビスの打ち込みでもよい。しかし、断熱板１ａ，１ｂの経時的な収縮による継ぎ目の開きは、断熱板１ａ，１ｂを躯体２へ接着した時に目立ちやすいことから、本発明は断熱板１ａ，１ｂの躯体２への取り付けが接着である場合により有益である。ビスによる取り付けの場合、断熱板１ａ，１ｂの経時的な収縮による継ぎ目の開きが接着による取り付けの場合ほど目立たないのは、ビス止めの場合、ある程度遊びを持って断熱板１ａ，１ｂが取り付けられることになるためであると考えられる。
【００１９】
図１において、実線の矢印は押出成形時の押出長さ方向、破線の矢印は押出成形時の押出幅方向を示す。各断熱板１ａ，１ｂは、相対向する二辺の対向方向と他の二辺の対向方向とがそれぞれ押出長さ方向と押出幅方向となっている。図１においては、断熱板１ａが上下方向に押出長さ方向を向け、左右方向に押出幅方向を向けており、断熱板１ｂが上下方向に押出幅方向を向け、左右方向に押出長さ方向を向けたものとなっている。図１より明らかなように、上記断熱板１ａと断熱板１ｂとが上下左右共に交互に配置されている。そして、断熱板１ａ，１ｂの押出長さ方向に対して押出幅方向は応力緩和による収縮量が小さいことから、各断熱板１ａ，１ｂ間の継ぎ目が応力緩和による断熱板１ａ，１ｂの収縮で広がってしまう量を抑制することができる。
【００２０】
本発明は、断熱板１ａ，１ｂを躯体２の内面（室内側）に取り付ける内断熱と、躯体２の外面（室外側）に取り付ける外断熱とのいずれにも適用することができる。しかし、断熱板１ａ，１ｂが日射による強い加熱を受けて応力緩和による収縮を生じやすい外断熱に適用することが好ましい。また、断熱板１ａ，１ｂの大きさは、収縮量を抑えるためには小さいことが好ましいが、小さすぎると施工に手間がかかる。また、端材の発生量を少なくするためには建物のモジュールに合わせることが好ましいことから、断熱板１ａ，１ｂの一辺の長さは、施工対象の建物のモジュールがインチモジュールの場合には１２１８ｍｍ、メーターモジュールの場合には１０００ｍｍ、尺モジュールの場合には９１０ｍｍとすることが好ましい。
【００２１】
以下のポリスチレンの押出発泡板について、以下の条件下で、応力緩和に伴う収縮量の測定を行った結果を示す。
【００２２】
（１）ポリスチレンの押出発泡板の性状
・密度：３２ｋｇ／ｍ3
・平均気泡径：０．２ｍｍ
・発泡剤組成：塩化エチル／イソブタン／二酸化炭素＝２．５／３／２．５ｐｐｈ
・製造時の大きさ：長さ（押出長さ方向）１８２０ｍｍ、幅（押出幅方向）９１０ｍｍ
【００２３】
（２）測定条件
製造から１０日後に７０℃の雰囲気下に置き、１週間放置した後に長さ方向と幅方向の寸法を測定。
【００２４】
（３）測定結果
・長さ：１８１２ｍｍ（収縮量＝８ｍｍ）
・幅  ：  ９０８ｍｍ（収縮量＝２ｍｍ）
【００２５】
上記の結果から、長さ１８２０ｍｍ、幅９１０ｍｍのポリスチレンの押出発泡板を複数配置するに際し、その長さ方向と幅方向を揃え、短辺側の端面同志と、長辺側の端面同志とをそれぞれ突き合わせて配置した場合、上記収縮を生じると、長さ方向に位置する継ぎ目（短辺側の端面同志を突き合わせた継ぎ目）は８ｍｍ間隔に開き、幅方向に位置する継ぎ目（長辺側の端面同志を付き合わせた継ぎ目）は２ｍｍ間隔に開くことになる。これに対して上記と同じポリスチレンの押出発泡板でも、長さ及び幅が共に９１０ｍｍとし、長さ方向と幅方向が交互になるように配置した場合、いずれの継ぎ目も開き量を３ｍｍとすることができる。
【００２６】
本発明で用いる断熱板１ａ，１ｂは、図２（ａ）に示されるように、少なくとも押出長さ方向又は押出幅方向を示す表示３が設けられていることが好ましい。この表示３を設けておくことにより、断熱板１ａ，１ｂの取り付け作業が容易となる。また、表示３は、押出長さ方向と押出幅方向のいずれか一方を表示するものでもよいが、例えば図２（ｂ）に示されるように、収縮量の大きい押出長さ方向を長い矢印で示し、収縮量の小さい押出幅方向を短い矢印で示すことや、異なる色で表示することなどにより、この両者を表示するものとすることもできる。
【００２７】
本発明は、前述のように外断熱に適用することが好ましく、特に図３に示されるように、建物の躯体２の外面に合成樹脂の発泡板の断熱板１ａ，１ｂを取り付け、更にこの断熱板１ａ，１ｂの外面に、湿式仕上げ材を塗設又はタイルを取り付けて形成した仕上げ層４を備え断熱構造に適している。このような断熱構造に本発明を適用すると、断熱板１ａ，１ｂ間の継ぎ目の広がりが抑制されるので、仕上げ層４の割れや剥離を防止することができる。
【００２８】
以上の断熱構造は、平面正方形の断熱板１ａ，１ｂを用いたものであるが、本発明で用いる断熱板１ａ，１ｂは平面矩形であればよく、例えば図４に示されるように、長方形の断熱板１ａ，１ｂを用いて構成することもできる。図４に示される断熱板１ａ，１ｂは同じ大きさの長方形で、短辺の長さが長辺の１／２の長さとなっている。また、いずれも長辺の長さ方向が押出成形時の押出長さ方向、短辺の長さ方向が押出成形時の押出幅方向となっている。断熱板１ａは縦にして取り付けたものであり、断熱板１ｂは横にして取り付けたものである。本例における断熱板１ａ，１ｂは、二枚の断熱板１ａが縦方向に直列したり、二枚の断熱板１ｂが横方向に直列し、断熱板１ａ，１ｂの押出長さ方向同士が直列に連なることがないように配置されている。具体的には、最下段が断熱板１ｂであって、断熱板１ｂの上部長辺側端面上に二枚の断熱板１ａを並列に設け、この二枚の断熱板１ａの上部短辺側端面上に断熱板１ｂを設ける配列を上下方向に繰り返す列と、最下段が並列に設けられた二枚の断熱板１ａであって、二枚の断熱板１ａの上部短辺側端面上に断熱板１ｂを設け、この断熱板１ｂの上部長辺側端面上に二枚の断熱板１ａを並列に設ける配列を上下方向に繰り返す列とを交互に形成したものとなっている。この平面長方形の断熱板１ａ，１ｂとする場合、長辺と短辺の長さは、施工対象の建物のモジュールがインチモジュールの場合には長辺を２４３６ｍｍ、短辺を１２１８ｍｍ、メーターモジュールの場合には長辺を２０００ｍｍ、短辺を１０００ｍｍ、尺モジュールの場合には長辺を１８２０ｍｍ、短辺を９１０ｍｍとすることが好ましい。
【符号の説明】
【００２９】
１ａ  断熱板（上下方向が押出長さ方向、左右方向が押出幅方向）
１ｂ  断熱板（上下方向が押出幅方向、左右方向が押出長さ方向）
２  躯体
３  表示
４  仕上げ層
【図１】
0005497592.tif 000002
【図２】
0005497592.tif 000003
【図３】
0005497592.tif 000004
【図４】
0005497592.tif 000005